(57)【要約】【課題】マウスの底面に貼り付けて当該マウスを滑らかに移動させることができるマウス用底面シート及び当該マウス用底面シートを底面に貼り付けたマウスとする。【解決手段】摺動面上を摺動させることで情報を端末に入力するマウス１０の底面１６に貼り付けられるマウス用底面シート２０であって、摺動面に対向する対向面２１が凹凸形状を呈しており、当該凹凸形状における凸部２２の先端部２２ａが摺動面に接触し、当該接触状態のままでマウス１０を摺動面上で移動させることによって、先端部２２ａが摺動面上を摺動するように構成されている。【選択図】図３
2018055438.tif 000002
【特許請求の範囲】
【請求項１】
摺動面上を摺動させることで情報を端末に入力するマウスの底面に貼り付けられるシートであって、
前記摺動面に対向する対向面が凹凸形状を呈しており、当該凹凸形状における凸部の先端部が前記摺動面に接触し、当該接触状態のままで前記マウスを前記摺動面上で移動させることによって、前記先端部が前記摺動面上を摺動するように構成されていることを特徴とするマウス用底面シート。
【請求項２】
前記対向面は、同形状の複数の前記凸部が隣接することで凹凸形状を呈していることを特徴とする請求項１に記載のマウス用底面シート。
【請求項３】
前記対向面は、同形状の複数の凹部が形成されることにより連続した前記凸部が形成されていることを特徴とする請求項１に記載のマウス用底面シート。
【請求項４】
シート自体がエンボス加工されることで、前記対向面が凹凸形状を呈していることを特徴とする請求項１乃至３の何れか一項に記載のマウス用底面シート。
【請求項５】
摺動面上を摺動させることで情報を端末に入力するマウスであって、
請求項１乃至４の何れか一項に記載のマウス用底面シートが底面に貼り付けられていることを特徴とするマウス。
【発明の詳細な説明】
【技術分野】
【０００１】
この発明は、マウスの底面に貼り付けるマウス用底面シート及び当該マウス用底面シートを底面に貼り付けたマウスに関するものである。
【背景技術】
【０００２】
従来、パソコン等に接続して使用するマウスは、ユーザがマウスパッドやデスク等の上で当該マウスを移動させることで、画面上のカーソルがその移動に合わせて動くように構成されている。ここで、画面上のカーソルの移動を滑らかにするためには、マウスがマウスパッドやデスク等の上を滑らかに移動する必要がある。このようにマウスを滑らかに移動させるために、マウスの底面の所定位置に、マウスを滑らせ易くすることを目的とした部材が取り付けられているものがある（例えば、特許文献１参照）。
【先行技術文献】
【特許文献】
【０００３】
【特許文献１】実開平６−８６１３８号公報
【発明の概要】
【発明が解決しようとする課題】
【０００４】
しかしながら、従来よりもさらに滑らかに移動可能なマウスを希望するユーザもおり、このような要望に答えるべく、より滑らかに移動可能なマウスが望まれていた。
【０００５】
そこで、この発明は、マウスの底面に貼り付けて当該マウスを滑らかに移動させることができるマウス用底面シート及び当該マウス用底面シートを底面に貼り付けたマウスを提供することを課題としている。
【課題を解決するための手段】
【０００６】
かかる課題を達成するために、請求項１に記載の発明は、摺動面上を摺動させることで情報を端末に入力するマウスの底面に貼り付けられるシートであって、前記摺動面に対向する対向面が凹凸形状を呈しており、当該凹凸形状における凸部の先端部が前記摺動面に接触し、当該接触状態のままで前記マウスを前記摺動面上で移動させることによって、前記先端部が前記摺動面上を摺動するように構成されているマウス用底面シートとしたことを特徴とする。
【０００７】
また、請求項２に記載の発明は、請求項１に記載の構成に加え、前記対向面は、同形状の複数の前記凸部が隣接することで凹凸形状を呈しているマウス用底面シートとしたことを特徴とする。
【０００８】
また、請求項３に記載の発明は、請求項１に記載の構成に加え、前記対向面は、同形状の複数の凹部が形成されることにより連続した前記凸部が形成されているマウス用底面シートとしたことを特徴とする。
【０００９】
また、請求項４に記載の発明は、請求項１乃至３の何れか一項に記載の構成に加え、シート自体がエンボス加工されることで、前記対向面が凹凸形状を呈しているマウス用底面シートとしたことを特徴とする。
【００１０】
また、請求項５に記載の発明は、摺動面上を摺動させることで情報を端末に入力するマウスであって、請求項１乃至４の何れか一項に記載のマウス用底面シートが底面に貼り付けられているマウスとしたことを特徴とする。
【発明の効果】
【００１１】
請求項１及び５に記載の発明によれば、マウスの底面の所定位置に貼り付けるマウス用底面シートが、摺動面に対向する対向面に凹凸形状を呈しており、当該凹凸形状における凸部の先端部が摺動面に接触して摺動面上を摺動するように構成されているため、対向面が凹凸形状のない平滑面からなるものに比べて、摺動面に対して接触面積の少ない状態で接触させることができる。その結果、マウスが移動するときの摺動面との摩擦力を小さくすることができ、マウスを摺動面に対して滑らかに移動させることができる。
【００１２】
また、請求項２に記載の発明によれば、対向面は、同形状の複数の凸部が隣接することで凹凸形状を呈しているため、マウスと摺動面との接触時に、より安定性のある状態とすることができる。
【００１３】
また、請求項３に記載の発明によれば、対向面は、同形状の複数の凹部が形成されることにより連続した前記凸部が形成されているため、マウスと摺動面との接触時に、より安定性のある状態とすることができる。
【００１４】
また、請求項４に記載の発明によれば、シート自体がエンボス加工されることで、対向面が凹凸形状を呈しているため、プレス等によって簡単にシートに対して凹凸形状を付けることができる。その結果、均一な凹凸形状を有するマウス用底面シートを効率良く生産することができる。
【図面の簡単な説明】
【００１５】
【図１】この発明の実施の形態１に係るマウスを示す表面図である。
【図２】同実施の形態１に係るマウスを示す側面図である。
【図３】同実施の形態１に係るマウスを示す底面図である。
【図４】同実施の形態１に係るマウスに貼り付けるマウス用底面シートを示す拡大平面図である。
【図５】同実施の形態１に係るマウスに貼り付けるマウス用底面シートを示す拡大断面図である。
【図６】同実施の形態２に係るマウスに貼り付けるマウス用底面シートを示す拡大平面図である。
【図７】同実施の形態２に係るマウスに貼り付けるマウス用底面シートを示す拡大断面図である。
【図８】同実施の形態１〜３及び比較例に係るマウス用底面シートの摩擦係数を計測した実験結果を示す表である。
【図９】同実施の形態１〜３及び比較例に係るマウス用底面シートの摩擦係数を計測した実験結果を示すグラフである。
【発明を実施するための形態】
【００１６】
以下、この発明の実施の形態について、図面を参照して詳細に説明する。
［発明の実施の形態１］
図１〜図５には、この発明の実施の形態１を示す。
【００１７】
この実施の形態のマウス１０は、パソコン等の端末（図示省略）に接続して、マウスパッドやデスク等の摺動面Ｍ上を摺動させることで、情報を端末に入力するものである。また、この実施の形態のマウス１０は、図１〜図３に示すように、内部にセンサ等の機械部（図示省略）を有する本体部１１を有し、その本体部１１の表面の先端側に、クリック操作を行うための左ボタン１２と右ボタン１３を備え、当該左ボタン１２と右ボタン１３の間にスクロール操作等を行うためのホイール１４を備えている。また、本体部１１の先端からは接続コード１５が延びており、当該接続コード１５の先端に設けられたコネクタ（図示省略）を介して、パソコン等の端末に接続されるようになっている。
【００１８】
また、図２及び図３に示すように、本体部１１の底面１６の所定位置には、マウス用底面シート２０が貼り付けられている。この実施の形態では、マウス１０の底面１６における先端側と後端側の２箇所に略細長形状のマウス用底面シート２０が貼り付けられている。また、この実施の形態では、超高分子量ポリエチレンからなっており、両面接着テープや接着剤等により、マウス用底面シート２０がマウス１０の底面１６に貼り付けられている。
【００１９】
このマウス用底面シート２０は、所定の厚さＨ（ここでは０．１３ｍｍ厚）の平面シート自体をエンボス加工することで、摺動面Ｍと対向する対向面２１が凹凸形状を呈するように形成されたものである。この実施の形態では、対向面２１は、亀甲凸４０メッシュ（１インチ当たりに亀甲形状の凸部が４０パターン形成されている）、すなわち、図４及び図５に示すように、所定の幅Ｐ（ここでは０．２４ｍｍ幅）の正六角形の複数の凸部２２が所定の幅Ｑ（ここでは０．３９ｍｍ幅）の連続した凹部２３を介してハニカム状に隣接して並べられた凹凸形状に形成されている。
【００２０】
そして、この対向面２１における複数の凸部２２の先端部２２ａのみが摺動面Ｍに接触し、凸部２２のその他の部位や凹部２３は摺動面Ｍに非接触となっており、当該先端部２２ａの接触状態のままでマウス１０を摺動面Ｍ上で移動させることによって、先端部２２ａが摺動面Ｍ上を摺動するようになっている。
【００２１】
このような構成のマウス１０を使用する場合には、ユーザはマウス１０を持ち、当該マウス１０を摺動面Ｍに接触させながら当該摺動Ｍ面上を摺動させる。特に、マウス１０を激しい動きのあるゲーム等で使用するときには、端末に素早い移動情報を送る必要があり、マウス１０自体が素早く滑らかな動きをする必要がある。ここで、この実施の形態のマウス１０では、摺動面Ｍ上をマウス用底面シート２０の対向面２１に設けられた凸部２２の先端部２２ａのみが接触して摺動するようになっている。このように、マウス１０が摺動面Ｍに対して、マウス用底面シート２０における対向面２１全体が接触範囲となっていて、その中で複数の凸部２２が形成され、その先端部２２ａで接触するようになっていることで、摺動面Ｍに対する接触面積を接触範囲の面積より小さい面積にすることができる。そのため、広い接触範囲で摺動面Ｍに対する安定した接地力を有すると共に、小さい接触面積で摺動面Ｍに対する摩擦力を小さくすることができる。その結果、マウス１０を摺動面Ｍ上で安定させた上で滑りやすくさせ、滑らかな移動を行うことができるようにしている。
［発明の実施の形態２］
次に、前記した実施の形態１のマウス用底面シート２０に対する実施の形態２について、図６及び図７を用いて説明する。なお、この実施の形態では、マウス用底面シート３０の凹凸形状のみが前記した実施の形態１のマウス用底面シート２０と異なっており、その他の構成は同様であるため、マウス用底面シート３０の凹凸形状の説明のみを行い、他の構成の説明は省略する。
【００２２】
この実施の形態のマウス用底面シート３０は、対向面３１が、絹目凸４０メッシュ（１インチ当たりに丸形状の凸部が４０パターン形成されている）、すなわち、図６及び図７に示すように、所定の幅Ｒ（ここでは０．２２ｍｍ径）の丸形状の複数の凸部３２が所定の幅Ｓ（ここでは０．３８ｍｍ幅）の連続した凹部３３を介して整列するように隣接して並べられた凹凸形状（所謂、絹目状）に形成されている。
【００２３】
そして、この対向面３１における複数の凸部３２の先端部３２ａのみが摺動面Ｍに接触し、凸部３２のその他の部位や凹部３３は摺動面Ｍに非接触となっており、当該先端部３２ａの接触状態のままでマウス１０を摺動面Ｍ上で移動させることによって、先端部３２ａが摺動面Ｍ上を摺動するようになっている。
［発明の実施の形態３］
次に、前記した実施の形態１のマウス用底面シート２０に対する実施の形態３について説明する。なお、この実施の形態３でも、マウス用底面シートの凹凸形状のみが前記した実施の形態１のマウス用底面シート２０と異なっており、その他の構成は同様であるため、マウス用底面シートの凹凸形状の説明のみを行い、他の構成の説明は省略する。
【００２４】
この実施の形態のマウス用底面シートは、対向面が、亀甲凹８０メッシュ（１インチ当たりに亀甲形状の凹部が８０パターン形成されている）、すなわち、所定の幅（ここでは０．３１ｍｍ幅）の正六角形の複数の凹部が所定の幅（ここでは０．０２８ｍｍ幅）の連続した凸部を介してハニカム状に隣接して並べられた凹凸形状に形成されている。
【００２５】
そして、この対向面における連続した凸部の先端部のみが摺動面に接触し、凸部のその他の部位や凹部は摺動面に非接触となっており、当該先端部の接触状態のままでマウスを摺動面上で移動させることによって、先端部が摺動面上を摺動するようになっている。
【００２６】
以上のように、前記した各実施の形態のマウス用底面シート２０，３０によれば、マウス１０の底面１６の所定位置に貼り付けるマウス用底面シート２０，３０が、摺動面Ｍに対向する対向面２１，３１に凹凸形状を呈しており、当該凹凸形状における凸部２２，３２の先端部２２ａ，３２ａが摺動面Ｍに接触して摺動面Ｍ上を摺動するように構成されているため、対向面２１，３１が凹凸形状のない平滑面からなるものに比べて、摺動面Ｍに対して接触面積の少ない状態で接触させることができる。その結果、マウス１０が移動するときの摺動面Ｍとの摩擦力を小さくすることができ、マウス１０を摺動面Ｍに対して滑らかに移動させることができる。
【００２７】
また、前記した実施の形態１及び２のマウス用底面シート２０，３０によれば、対向面２１，３１は、同形状の複数の凸部２２，３２が連続した凹部２３，３３を介して隣接することで凹凸形状を呈しているため、マウス１０と摺動面Ｍとの接触時に、より安定性のある状態とすることができる。
【００２８】
また、前記した実施の形態３のマウス用底面シートによれば、対向面は、同形状の複数の凹部が連続した凸部を介して隣接することで凹凸形状を呈しているため、マウスと摺動面との接触時に、より安定性のある状態とすることができる。
【００２９】
また、前記した各実施の形態のマウス用底面シート２０によれば、シート２０自体がエンボス加工されることで、対向面２１が凹凸形状を呈しているため、プレス等によって簡単にシート２０に対して凹凸形状を付けることができる。その結果、均一な凹凸形状を有するマウス用底面シート２０を効率良く生産することができる。
【００３０】
次に、前記した実施の形態１〜３と比較例を用いて摩擦力を測定した実験について、図８及び図９を用いて説明する。
【００３１】
この実験では、摺動面上で、凹凸形状が形成されたシート３種類と平滑状態のシート１種類について、ＪＩＳ  Ｋ７１２５の試験方法に準拠した摩擦試験を行った。なお、使用したシートはＮＬ−ＡＳ（Ｂ）、試験装置は万能試験機、試験速度は１００ｍｍ／ｍｉｎ、試験荷重は２００ｇ（１．９６Ｎ）、荷重寸法は６３ｍｍ、試験数はＮ５、相手材はマウスパッド（株式会社ロジクール社製のクロスタイプのマウスパッド（型番Ｇ２４０）とハードタイプのマウスパッド（型番Ｇ４４０））である。
【００３２】
前記したシートＮＬ−ＡＳ（Ｂ）に対して、エンボス加工にて凸形状の絹目４０メッシュを形成したもの（実施の形態２）、エンボス加工にて凸形状の亀甲（正六角形）４０メッシュを形成したもの（実施の形態１）、エンボス加工にて凹形状の亀甲（正六角形）８０メッシュを形成したもの（実施の形態３）、エンボス加工を施さないものを準備し、それぞれに対して、上記実験を行った。
【００３３】
その結果、図８及び図９に示すように、エンボス加工を施さない平滑状態のものではクロスＧ２４０に対して静摩擦係数０．１８５、動摩擦計数０．１４４、クロスＧ４４０に対して静摩擦係数０．１６３、動摩擦計数０．１２２であるのに対して、エンボス加工にて凸形状の絹目４０メッシュを形成したもの（実施の形態２）ではクロスＧ２４０に対して静摩擦係数０．１７４、動摩擦計数０．１３７、クロスＧ４４０に対して静摩擦係数０．１３９、動摩擦計数０．０９３、エンボス加工にて凸形状の亀甲（正六角形）４０メッシュを形成したもの（実施の形態１）ではクロスＧ２４０に対して静摩擦係数０．１７４、動摩擦計数０．１４１、クロスＧ４４０に対して静摩擦係数０．１５５、動摩擦計数０．１１９、エンボス加工にて凹形状の亀甲（正六角形）８０メッシュを形成したもの（実施の形態３）ではクロスＧ２４０に対して静摩擦係数０．１６３、動摩擦計数０．１３４、クロスＧ４４０に対して静摩擦係数０．１４７、動摩擦計数０．１０５というように、何れの凹凸形状を形成したものも、平滑状態のものより摩擦係数が小さくなるという結果を得た。
【００３４】
このことから、同じ材質のシートにおいて、平滑状態のものより凹凸形状が形成されたものの方が摩擦力が小さくなり、摺動面に対してシート、引いてはマウスを滑らかに移動させることができる、ということが分かった。
【００３５】
なお、以上説明した各実施の形態は、本発明の理解を容易にするために記載されたものであって、本発明を限定するために記載されたものではない。
【００３６】
例えば、前記した各実施の形態では、マウス用底面シート２０，３０の対向面２１，３１は、正六角形の凸部２２又は凹部が並んだハニカム状に凹凸形状が形成されたもの、または丸形状の凸部３３が並んだ絹目状に凹凸形状が形成されたものを用いて説明したが、これに限るものではなく、丸形状の凹部が並んだ絹目状に凹凸形状が形成されたものや、その他の凸部や凹部で凹凸形状が形成されたものであっても良い。また、複数の凸部（または凹部）の形状は同形状に限るものではなく、複数種類の形状の凸部（または凹部）が組み合わさって複数の凸部（または凹部）を形成していても良い。
【００３７】
また、凹凸形状はエンボス加工により形成されたものに限るものではなく、同様の構成や効果を有するものであれば、エンボス加工以外の加工方法で凹凸形状が形成されていても良い。
【００３８】
また、前記した各実施の形態では、マウス用底面シート２０，３０がマウス１０の底面１６における先端側と後端側の２箇所に貼り付けられており、それぞれ略細長形状に形成されていたが、これに限るものではなく、マウスの底面に貼り付けるマウス用底面シートの大きさや形状、貼り付ける位置や数等は、マウスの形状や大きさ、その他の規格に応じて適宜決定するものである。
【００３９】
また、前記した各実施の形態では、マウス１０として２ボタン、ホイール付き、接続コード有のものを用いて説明したが、これに限るものではなく、１ボタンや３ボタン以上のもの、ホイール無しのもの、接続コードの代わりに無線等で端末に接続されているもの、ボタンやホイール以外の操作部が設けられたもの等、適宜の構成のマウスに本発明のマウス用底面シートを適用することが可能である。
【符号の説明】
【００４０】
１０  マウス
１１  本体部
１２  左ボタン
１３  右ボタン
１４  ホイール
１５  接続コード
１６  底面
２１，３１  対向面
２２，３２  凸部
２２ａ，３２ａ  先端部
２３，３３  凹部
【図１】
2018055438.tif 000003
【図２】
2018055438.tif 000004
【図３】
2018055438.tif 000005
【図４】
2018055438.tif 000006
【図５】
2018055438.tif 000007
【図６】
2018055438.tif 000008
【図７】
2018055438.tif 000009
【図８】
2018055438.tif 000010
【図９】
2018055438.tif 000011